(57)【要約】      （修正有）【課題】家具の趣を変え、家具表面の装飾性を一層向上させるために用いることができる、吸着性を有する使いやすい大型家具用装飾性マグネットシートを提供する。【解決手段】磁石粉を含有する合成樹脂、又は合成ゴムからなる磁石層の上面に、合成樹脂、又はゴム製の装飾性を施した印刷層が積層された縦２１０〜１０００ｍｍ、横２９７〜２０００ｍｍの寸法の大型マグネットシートであって、磁石層の厚さが０．１〜０．５ｍｍであるとともに、印刷層の厚さが０．０１〜０．１ｍｍで、印刷層の面積として０．０５〜２ｍ２のシート状形状になっている。【選択図】図１
0003212466.tif 000002
【実用新案登録請求の範囲】
【請求項１】
磁石粉を含有する合成樹脂、又は合成ゴムからなる磁石層の上面に、合成樹脂、又はゴム製の装飾性を施した印刷層が積層された縦２１０〜１０００ｍｍ、横２９７〜２０００ｍｍの寸法の大型マグネットシートであって、上記磁石層の厚さが０．１〜０．５ｍｍであるとともに、上記印刷層の厚さが０．０１〜０．１ｍｍで、印刷層の面積として０．０５〜２ｍ２のであるシート状形状になっていることを特徴とする大型家具用装飾性マグネットシート。
【請求項２】
大型家具用装飾性マグネットシートは、風景、自然、動物、植物、乗り物、食品のプリント写真・絵柄・図柄を、または好みのペット、人物の写真をプリントした印刷層を表面に持ち、裏面に磁性体から成る磁石層からなる薄型マグネットシートであって、前記印刷層面に、前記の特徴ある自然、風景、人物等を写真・絵柄・図柄に撮った影像を印刷した前記マグネットシートを家具の表面、側面に存在する磁性体の面に磁力により吸着させていることを特徴とする請求項１に記載の大型家具用装飾性マグネットシート。
【請求項３】
マグネットシートは、写真をプリントした印刷層と、磁石と合成樹脂、又は合成ゴムとの混合系磁石層からなる平面シート状であって、前記平面シート形状は、正方形、長方形、略矩形、略三角形、円形、又は四角形以上の略多角形のうちの少なくとも何れか一つの形状で、印刷層と磁石層からなる前記シートとして厚さ０．２〜１ｍｍで、縦２１０ｍｍ、横２９７ｍｍのＡ４版から縦１０００ｍｍ、横２０００ｍｍの寸法になっており、家具にマッチした寸法、又は要望の寸法の磁気性吸着シートであることを特徴とする請求項１、又は請求項２に記載の大型家具用装飾性マグネットシート。
【請求項４】
前記マグネットシートは、磁石層としてはフェライト系、アルニコ系、希土類系の粉末体を使用して、前記樹脂、又はゴムとの混合系からなる薄型マグネットシート状にしたものであり、マグネットシートは、表面の印刷層を有する裏面の磁石層に、粒径が１〜数百ミクロンのフェライト粉、又は鉄を主成分とする磁性分又は、フェライト系、アルニコ系、希土類系の粉末体の３つの群から選ばれる１〜３種の単独又は混合物の容積で３０〜８０％割合を含まれる磁石と樹脂、又はゴムとの塗膜層からなり、前記塗膜層の厚さ０．１〜０．５ｍｍの磁石層で、残留磁束密度（Ｂｒ）＝２〜５ｋＧ，保磁力（Ｈｃ）＝２〜１０ｋＯｅの特性を示していることを特徴とする請求項１〜請求項３のいずれかに記載の大型家具用装飾性マグネットシート。
【請求項５】
種々の写真、絵柄、図柄をプリントした前記マグネットシートを吸着させる対象家具としては、厚さ５０〜１００μｍのスチール箔で積層されて構成された化粧板を持つ、チェスト、箪笥、ロッカー、床頭台、テレビ台、シューズボックス、食器棚、洋服箪笥、本棚であって、前記家具の表面と側面と合わせた面積において、３０〜１００％の割合に前記プリントされたマグネットシートを吸着させて、前記家具の装飾性、及び趣向性を向上させることを特徴とする請求項１〜請求項４のいずれかに記載の大型家具用装飾性マグネットシート。
【考案の詳細な説明】
【技術分野】
【０００１】この考案は、家具の表面などに付着させるに好適に用いられる写真などのマグネットシートに関し、大型プリンタで写真プリントするのに適した大型家具付着用マグネットシートに関する。
【背景技術】
【０００２】マグネットシートは、スチール面を有する装飾表面に直接に吸着・固定できるので便利であり、高い需要がある。とくに写真などをプリントされたマグネットシートは趣味、嗜好、娯楽面で広く応用される。家具などの部屋内の装飾で効果を示すものである。【０００３】このようなマグネットシートとしては、たとえば表示用マグネットシートが提案されている。この表示用マグネットシートは、厚さ０．０５〜０．１５ｍｍの磁石シートの他方面に、厚さ０．０５〜０．１５ｍｍの印刷シートを貼着して０．１〜０．３ｍｍの厚さに形成したものである（特許文献１参照）。また、大型の表示用マグネットシートとしては、この表示用マグネットシートは、厚さ０．１〜０．２ｍｍの磁石シートの一面若しくは両面に、厚さ０．１〜０．２ｍｍの印刷シートをラミネートしたものが存在している（特許文献２参照）。【０００４】メモなどでの使用済後でも図柄，写真，デザインなどが室内の装飾として使用者の使用感を満足できる可能な磁気吸着メモを提供するために、図柄，写真，デザインなど、好みの印刷を施した表面に続き、多数枚の紙を互いに粘着剤で仮止めした付箋体の基板に、粘着力を異にする両面テープにより粘着力の強い面を貼着し、粘着力の弱い面をマグネットシートの表面の表紙に関連した印刷面に剥離自在に貼接させて成る磁気吸着メモが提案されている（特許文献３参照）。【０００５】フラワーアレンジメントを学習する人や趣味に持つ人達に、安価な素材を提供するために、薄いマグネットシートの印刷可能面に、実際の植物の花、葉、枝、実及び花器のイラスト又は写真に撮った影像を印刷した後、各々輪郭に沿って切り抜き一本一本、１個１個のパーツを作製する。このマグネットシート裏面にある磁性体を、専用に用意した鉄製パネルを使用するか又は鉄製ドアー、鉄製ロッカー、家具、冷蔵庫などの鉄製平面を利用して、全体のバランスを考えながら順次パーツを吸着させる方法が提案されている（特許文献４参照）。【０００６】マグネットシートを家具などに吸着させるものは存在していない。
【先行技術文献】
【特許文献】
【０００７】
【特許文献１】特許第２８１９０１７号公報
【特許文献２】特開２００４−２９０９５号公報
【特許文献３】実用新案登録第３１４２１０２号公報
【特許文献４】実用新案登録第３０６５７３２号公報
【考案の概要】
【考案が解決しようとする課題】
【０００８】写真表示用マグネットシートの場合には、磁石層が０．０５〜０．２ｍｍと、極薄く形成されている。このため、磁石層の吸着力は他の物体を積極的に吸着して支えられるほど高くはない。磁石層の吸着力は、磁性粉の含有量や磁性粉が等方性か異方性かによっても異なるが、厚さに比例して強くなる。一般タイプの等方性磁石における吸着力の代表値は、厚さが０．４ｍｍのときで１６ｇ／ｃｍ２以上、厚さが０．６ｍｍのときで２５ｇ／ｃｍ２以上、厚さが０．８ｍｍのときで３３ｇ／ｃｍ２以上、強磁タイプの異方性磁石における吸着力の代表値は、それぞれ２２ｇ／ｃｍ２以上、４２ｇ／ｃｍ２以上、５８ｇ／ｃｍ２以上とされている。【０００９】したがって、磁石層０．２ｍｍの半分もしくはそれ以下の厚さである写真印刷用マグネットシートの吸着力は、等方性の場合で１０ｇ／ｃｍ２より小、強磁タイプの異方性であっても１０ｇ／ｃｍ２程度と、極小さいものである。このような値は、磁石層の片面または両面に磁石層と同程度の厚さの印刷層を貼着して構成されたマグネットシートの自重と比較して、家具なに吸着する被吸着物に対してさほど大きいものではなく、写真印刷用マグネットシート自体を支える程度の吸着力である。【００１０】そこで、この考案は、上記の様々な種問題点に鑑み、家具の表面に強い吸着力が得られる、印刷をしても収縮が起こらず所望サイズの印刷表示が行える、価格を低く抑えられる、印刷作業を簡単にできる、インクの定着性が良好である、鮮明な印刷表示が得られるなどといった、写真付きマグネット吸着家具等に用いるのに最適な、大型プリンタ用のマグネットシートの提供を課題とする。
【課題を解決するための手段】
【００１１】磁石粉を含有する合成樹脂、又は合成ゴムからなる磁石層の上面に、合成樹脂、又はゴム製の装飾性を施した印刷層が積層された縦２１０〜１０００ｍｍ、横２９７〜２０００ｍｍの寸法の大型マグネットシートであって、上記磁石層の厚さが０．１〜０．５ｍｍであるとともに、上記印刷層の厚さが０．０１〜０．１ｍｍで、印刷層の面積として０．０５〜２ｍ２のであるシート状形状になっている大型家具用装飾性マグネットシートである。【００１２】大型家具用装飾性マグネットシートは、風景、自然、動物、植物、乗り物、食品のプリント写真・絵柄・図柄を、または好みのペット、人物の写真をプリントした印刷層を表面に持ち、裏面に磁性体から成る磁石層からなる薄型マグネットシートであって、前記印刷層面に、前記の特徴ある自然、風景、人物等を写真・絵柄・図柄に撮った影像を印刷した前記マグネットシートを家具の表面、側面に存在する磁性体の面に磁力により吸着させている。【００１３】マグネットシートは、写真をプリントした印刷層と、磁石と合成樹脂、又は合成ゴムとの混合系磁石層からなる平面シート状であって、前記平面シート形状は、正方形、長方形、略矩形、略三角形、円形、又は四角形以上の略多角形のうちの少なくとも何れか一つの形状で、印刷層と磁石層からなる前記シートとして厚さ０．２〜１ｍｍで、縦２１０ｍｍ、横２９７ｍｍのＡ４版から縦１０００ｍｍ、横２０００ｍｍの寸法になっており、家具にマッチした寸法、又は要望の寸法の磁気性吸着シートである。【００１４】前記マグネットシートは、磁石層としてはフェライト系、アルニコ系、希土類系の粉末体を使用して、前記樹脂、又はゴムとの混合系からなる薄型マグネットシート状にしたものであり、マグネットシートは、表面の印刷層を有する裏面の磁石層に、粒径が１〜数百ミクロンのフェライト粉、又は鉄を主成分とする磁性分又は、フェライト系、アルニコ系、希土類系の粉末体の３つの群から選ばれる１〜３種の単独又は混合物の容積で３０〜８０％割合を含まれる磁石と樹脂、又はゴムとの塗膜層からなり、前記塗膜層の厚さ０．１〜０．５ｍｍの磁石層で、残留磁束密度（Ｂｒ）＝２〜５ｋＧ，保磁力（Ｈｃ）＝２〜１０ｋＯｅの特性を示している。【００１５】種々の写真、絵柄、図柄をプリントした前記マグネットシートを吸着させる対象家具としては、厚さ５０〜１００μｍのスチール箔で積層されて構成された化粧板を持つ、チェスト、箪笥、ロッカー、床頭台、テレビ台、シューズボックス、食器棚、洋服箪笥、本棚であって、前記家具の表面と側面と合わせた面積において、３０〜１００％の割合に前記プリントされたマグネットシートを吸着させて、前記家具の装飾性、及び趣向性を向上させる。【００１６】当該マグネットシートは、スチール箔で積層されて構成された化粧板を持つ、引出、開き戸、引戸を持つものであり、流し台、調理台等の厨房設備、洗面化粧台等の衛生設備、あるいは食器戸棚、ワゴン、クロゼット等の家具が備える扉や引出しの前板であって、チェスト、箪笥、ロッカー、床頭台、シューズボックス、食器棚、洋服箪笥、本棚であって、表面と側面と合わせた面積でマグネットシートを付着できる装飾性表装材を張り付けた箱型の家具���張り付ける。【００１７】そこで、吸着力を高めることが必要であるが、そのための手段として、まず、強磁タイプの異方性磁石を採用して吸着力を高めることが考えられる。しかし、上記のようにそれほどに吸着力を高めることはできない。単に異方性の磁石粉を採用しても等方性のものに比して約１．５倍しか吸着力は高まらない。【００１８】また、吸着力を高められたとしても、それだけでは家具などに使用するマグネットシートとしては充分である。家具等室内静置物体に使用するマグネットシートでは、インクの定着性はもとより、印刷をしても収縮が起こらず所望のサイズに印刷表示ができることも重要な要件である。【００１９】印刷をしたら収縮してしまったというのでは、出力したものが商品価値を失う。また、所望のサイズに印刷表示ができないので、分割出力されたマグネットシートの場合、印刷表示（絵柄）をあわせてのシームができず、商品にならない。【００２０】吸着力を高める別の手段として、厚みを増すことが考えられる。厚みを厚くすると吸着力を高めることができるが、材料費が嵩むため高価になってしまう。一方、価格を低く抑えるべく薄く形成しようとしても、大型のマグネットシートにおいて一定以上に薄くすることは、製造技術・生産性の点から難しく、廉価化を図ることはできない。
却って、高価になってしまう。【００２１】また、磁石層を厚くすればマグネットシート全体の厚さが厚くなるため、プリンタのプリントヘッドとの距離が近くなって、印刷中のマグネットシートがプリントヘッドに引っ掛かることがある。引っ掛かりは、マグネットシートが印刷中にヒータで加熱され、表面が浮くように、換言すれば波打つように変形することによって、不測に発生する。【００２２】一般的な大型プリンタにおいては、搬送面とプリントヘッドとの間の距離は２ｍｍ程度に設定され、必要に応じて段階的に距離を変更できるように構成されているので、引っ掛かりを阻止するためにプリントヘッドを搬送面から離して距離をとることができるが、必要以上に距離があいてしまうと、吐出されたインクの定着が悪くなる上に、形成される印刷表示が不鮮明になってしまう問題点がある。【００２３】プリントヘッドの高さ調整を行えば、種類の違う別のシートに対する印刷の時に再調整しなければならなくなるので、プリントヘッドの高さ調整はしないのが好ましい。
種々の自然の写真をプリントすることができる。【００２４】さらに、マグネットシートの厚さが厚いと、それだけマグネットシートの重量は重くなる。たとえば０．８ｍｍ厚、１０００ｍｍ幅で１０ｍ巻きのマグネットシートロールでは３０ｋｇにもなってしまう。このように重量が重いと、印刷初期と印刷終期において印刷中の送りの速度に差が生じ、マグネットシートの印刷初期部分と印刷終期部分とで印刷表示にずれができてしまい、商品価値を喪失する。こうした場合も、上記のように分割出力したマグネットシート同士をシームすることができなくなる。
【考案の効果】
【００２５】以上のように、家具類に強い吸着力を得られる、印刷後の収縮を抑えて所望大型サイズの写真印刷表示が行える、価格を低く抑えられる、印刷作業を簡単にできる、インクの定着性が良好である、鮮明な写真などの印刷表示が得られる、幅広の製品を低価格で得られる、印刷後のラミネートなどの処理が簡単である、などといった、様々な効果を得られる。プリンタに通しやすくするためにシートの厚さを薄くしても、吸着力が低い、収縮が起こることがなく、低価格化できて、大型プリンタ用マグネットシートとして必要な要件を充分に満たした。【００２６】家具などで、マグネットシートの表面に写真を印刷ができて、大型プリンタ用マグネットシートとして必要な印刷要件のすべてを満遍なく満たし、現在使用されている一般的な大型プリンタに使用するのに最適で、総合的にみて優れた大変扱いやすいマグネットシートを得ることができた。【００２７】以上従来の薄い磁性マグネットシートの出現により誰にでも安価に写真、風景を楽しむ事が可能になった。本考案は初歩的な趣味と実益で楽しむ人達にとって絶好の素材提供となり、家庭では大人の趣味や室内装飾から子供たち向けの家具として、すぐに鉄板、スチール箔を貼った平面である家具の表面やスチール製ドアー、スチールロッカー面などに吸着させて楽しむ事ができ即座に周囲の雰囲気を明るく変化させるアクセサリー的な使用も可能であった。又、家族や友人、仲間等の誕生日に家具の表面に吸着させて、お祝いに使用したり、保存は容易で応用範囲も広く持つ贈答品、お祝い品であった。
【図面の簡単な説明】
【００２８】
【図１】写真入り大型家具用装飾性マグネットシートの斜視図。
【図２】大型家具用装飾性マグネットシートの断面図。
【図３】家具用に吸着した大型家具用装飾性マグネットシートの図。
【図４】太型家具用装飾性マグネットシートでの写真シート構成図。
【図５】家具用家具に吸着した大型家具用装飾性マグネットシートを使用した斜視図。
【考案を実施するための形態】
【００２９】この考案を実施するための一形態を、以下図面を用いて説明する。
図１は、大型プリンタ用マグネットシート（以下、シートという）を示し、この図に示すようにシートは、幅広の長尺状に形成されている。幅Ｗは、大型インクジェットプリンタに使用可能な適宜の寸法、たとえば１０００ｍｍ、１２００ｍｍ等に設定される。
【００３０】シートは、柔軟性を有するもので、家具表面の被吸着面に吸着するための磁石層と、インクを定着させて印刷表示を形成するための印刷層とを有し、図２に断面図で示したように構成されている。すなわち、磁石層の片面に印刷層が積層一体化されている。
【００３１】上記磁石層は、磁性粉を含有する軟質合成樹脂からなる。磁性粉としては、たとえばフェライトが用いられ、軟質合成樹脂としては塩素化ポリエチレンが用いられる。
【００３２】上記印刷層は、樹脂層で形成され、その厚みは０．１ｍｍである。表面には、インク受理層のためのコート層を有しない。しかし、成形に際して微細な凹凸が形成され、マット調に仕上げられている。
【実施例１】
【００３３】磁性粉を含有する合成ゴムからなる磁石層の片面に、合成樹脂製の印刷層が積層された大型マグネットシートであって、上記磁石層の厚さが０．２ｍｍであるとともに、上記印刷層の厚さが０．０１ｍｍで、面積として０．５ｍ２の大きさシート状になっている大型家具用装飾性マグネットシートであった。【００３４】マグネットシートの表面にプリントする写真は、人物のプリント写真をシートにプリントして提供できるようにして、大型家具用装飾性マグネットシートは、印刷可能材質を表面に持ち、裏面が鉄に吸着可能な磁性体から成る薄型マグネットシートの印刷面に、前記の人物を写真に撮った影像を印刷したマグネットシートを硬磁性平面に磁力により吸着させた。【００３５】マグネットシートは、写真をプリントされた磁石シートは、合成ゴム製のシートであって、その平面シート形状が、基本的に長方形であって、大きさは縦１０００ｍｍ、横２０００ｍｍを主体として、家具にマッチした寸法、又は要望の寸法の磁気シートにした。【００３６】マグネットシートは、磁石としてはフェライト系を使用して、ゴムとの混合系の薄型シート状にしたものであり、マグネットシートは、印刷層を有する裏面に、粒径が１〜数百ミクロンのフェライト粉の単独が乾燥後の体積で５０％含まれる磁性と樹脂との塗料からなり、厚さ０．３０ｍｍの磁性粉との混合のマグネット層が設けられて構成された、磁力として、残留磁束密度（Ｂｒ）＝２ｋＧ，保磁力（Ｈｃ）＝２ｋＯｅ、をもっていた【００３７】当該マグネットシートは、厚さ０．０５ｍｍのスチール箔で積層されて構成された化粧板を持つ、引出、開き戸、引戸を持つものであり、チェストであって、表面と側面と合わせた面積で８０％にマグネットシートを付着できる装飾性表装材を張り付けた箱型の家具に張り付けた。
【実施例２】
【００３８】磁性粉を含有する合成ゴムからなる磁石層の片面に、合成樹脂の印刷層が積層された大型マグネットシートであって、上記磁石層の厚さが０．５ｍｍであるとともに、上記印刷層の厚さが０．０５ｍｍで、面積として１ｍ２の大きさシート状になっている大型家具用装飾性マグネットシートであった。【００３９】マグネットシートの表面にプリントする写真は、風景のプリント写真、風景写真をシートにプリントして提供できるようにして、大型家具用装飾性マグネットシートは、印刷可能材質を表面に持ち、裏面がスチール箔を張った板材に吸着可能な磁性体から成る薄型マグネットシートの印刷面に、前記の風景を写真に撮った影像を印刷したマグネットシートを磁性平面に磁力により吸着させた。【００４０】マグネットシートは、写真をプリントされた磁石シートは、合成ゴム製のシートであって、その平面シート形状が、基本的に正方形であって、一般的には厚さ０．５ｍｍで、大きさは縦１０００ｍｍ、横９００ｍｍのを主体として、家具にマッチした寸法の磁気シートに提供した。【００４１】マグネットシートは、磁石としてはフェライト系、の粉末体を使用して、ゴムの薄型シート状にしたものであり、マグネットシートは、印刷層を有する裏面に、フェライト系粉末、の単独の体積で４０％含まれる磁性と樹脂との塗料からなり、厚さ０．５ｍｍの磁性粉のマグネット層が設けられて構成された、磁力として、残留磁束密度（Ｂｒ）＝２ｋＧ，保磁力（Ｈｃ）＝２ｋＯｅであった。【００４２】当該マグネットシートは、厚さ０．０５ｍｍのスチール箔で積層されて構成された化粧板を持つ、開き戸を持つものでありロッカーあって、表面と側面と合わせた面積で５０％にマグネットシートを付着できる装飾性表装材を張り付けた箱型の家具に張り付けた。
【実施例３】
【００４３】磁性粉を含有する合成ゴムからなる磁石層の片面にゴム製の印刷層が積層された大型マグネットシートであって、上記磁石層の厚さが０．１ｍｍであるとともに、上記印刷層の厚さが０．０２ｍｍで、面積として１．２ｍ２の大きさシート状になっていることを特徴とする大型家具用装飾性マグネットシート。【００４４】マグネットシートの表面にプリントするペット写真をシートにプリントして提供できるようにして、大型家具用装飾性マグネットシートは、印刷可能材質を表面に持ち、裏面が鉄に吸着可能な磁性体から成る薄型マグネットシートの印刷面に、前記の写真に撮った影像を印刷したマグネットシートを硬磁性平面に磁力により吸着させた。【００４５】マグネットシートは、写真をプリントされた磁石シートは、合成ゴム製のシートであって、その平面シート形状が、基本的に略矩形であって、一般的には家具にマッチした寸法、又は要望の寸法の磁気シートにした。【００４６】マグネットシートは、磁石としては希土類系の粉末体を使用して、前記樹脂、又はゴムとの混合系の薄型シート状にしたものであり、マグネットシートは、印刷層を有する裏面に、粒径が１〜数百ミクロンの希土類系の粉末体の体積で３０％含まれる磁性と樹脂との塗料からなり、厚さ０．０６ｍｍの磁性粉との混合のマグネット層を設けられて構成された。【００４７】当該マグネットシートは、引出、開き戸を持つものであり、ロッカーであって、表面と側面と合わせた面積で５０％にマグネットシートを付着できる装飾性表装材を張り付けた箱型の家具に張り付けた。【００４８】以上はこの考案を実施するための一形態であって、この考案は、上記の構成のみに限定されることなく、その他の様々な形態を採用することができる。
【符号の説明】
【００４９】  １…マグネットシート
２…磁石層
３…印刷層
３ａ…表面
４…樹脂層
５  写真
６  分断写真
７  家具
８  印刷
９  チェスト
１０  ロッカー
【図１】
0003212466.tif 000003
【図２】
0003212466.tif 000004
【図３】
0003212466.tif 000005
【図４】
0003212466.tif 000006
【図５】
0003212466.tif 000007